(57)【要約】【課題】  凹凸感に優れた編地を提供する。【解決手段】  高バットの編針と低バットの編針とを交互に配置した編機で、８コースを１組みとして編み、最初の２コースは、低バットの編針でニット編みし、高バットの編針でタック編みし、次の２コース以上を低バットの編針と高バットの編針の双方でニット編みする平編みとし、この平編みに続く２コースは最初の２コースとは逆になるように、低バットの編針でタック編みし、高バットの編針でニット編みし、最後の２コースでは、低バットの編針と高バットの編針の双方でニット編みする平編みとした編組織を備えた。【選択図】  図２
2012167395.tif 000002
【特許請求の範囲】
【請求項１】
高バットの編針と低バットの編針とを交互に配置した編機で、６コース以上を１組みとして編み、最初の２コースはタック編みし、次の１コース以上を平編みとし、この平編みに続く２コースはタック編みし、最後の１コース以上では、平編みとした編組織を備えたことを特徴とする編地。
【請求項２】
前記最初の２コースのタック編みでは、低バットの編針と高バットの編針のいずれか一方でニット編みしていずれか他方でタック編みし、前記最初の平編みに続く次の２コースのタック編みでは最初の２コースとは逆になるように、低バットの編針と高バットの編針のいずれか一方でタック編みしていずれか他方でニット編みした編組織を備えたことを特徴とする請求項１に記載の編地。
【請求項３】
前記平編みとなるコースが各２コースで、合計８コースを１組みとしたことを特徴とする請求項１又は２に記載の編地。
【請求項４】
前記タック編み部分の編糸の色と、平編み部分の編糸の色とを相違させたことを特徴とする請求項１から３のいずれかに記載の編地。
【請求項５】
各コースの糸を、積極送り出し方式で編機に供給して編んだことを特徴とする請求項１から４のいずれかに記載の編地。
【発明の詳細な説明】
【技術分野】
【０００１】
本発明は凹凸感に優れた編地に関する。
【背景技術】
【０００２】
従来よりシングルシリンダ丸編機で編まれる生地は、ニット、タック、ミスの組合せにより凹凸を出していたが、凹凸に乏しい生地であった。
【０００３】
また、凹凸を出すために、太さの異なる糸や、ウレタン糸やゴム糸などの伸縮性のある糸を組み合わせて凹凸を出していた。しかし、太さの異なる糸を使用しても、期待したほど凹凸が出ず、伸縮性のある糸を使用すると、生地自体に余分な伸縮性が付いてしまうなどの問題が起こった。
【０００４】
凹凸感のある編地としては、かのこ編みが知られている。かのこ編みは、平編みにタックを応用した編組織で、並かのこ編み、表かのこ編み、総かのこ編みなどがあり、鹿の子の背中のように細かい斑点状の突起が並んだ編み目を持っている。
【０００５】
かのこ編みは、高バットの編針と低バットの編針の２種類の編針を一本ずつ交互に配置したシングルシリンダ丸編機で編まれている。
【０００６】
以下に、図３から図５により従来のかのこ編みについて説明する。
なお、図３（ｂ）、図４（ｂ）及び図５（ｂ）は、編み方を示す組織図であるが、これらの図において、垂直の長い線は低バットの編針を示し、垂直の短い線は高バットの編針を示している。また、これらの図には、高低バットの編針を合計５本又は７本しか示していないが、これらの編針の両側に多数の低バットの編針と高バットの編針が交互に配置され、環状に配置され、同じ編み方が繰り返されている。各針の上にループがあるのはニット編みを意味し、ループのないのはタック編みを意味している。
【０００７】
図３は、従来の並かのこ編みの図で、（ａ）は編地の編目を表す図、（ｂ）は編み方を示す組織図である。並かのこ編みは、４コースで１組みの組織としている。図３（ａ）では、各コースの糸に対応した１〜４の符号を付けている。図３（ｂ）に示すように、第１コースは、低バットの編針でニット編みし、高バットの編針でタック編みする。第２コースは低バットの編針、高バットの編針ともにニット編みしている。すなわち、平編みである。第３コースは、第１コースと逆で、低バットの編針でタック編みし、高バットの編針でニット編みする。第４コースは第２コースと同じく平編みである。以下、第１から第４コースを繰り返すことになる。並かのこ編みの編地は、図３（ａ）に示す通り、２本の糸が重なる部分ができ、これらが鹿の子の背中の模様に似た模様を形成するが、２本の糸の重なる部分が均等に分布し、かつ、２本しか重ならないので、凹凸は小さい。
【０００８】
図４は、従来の表かのこ編みの図で、（ａ）は編地の編目を表す図、（ｂ）は、編み方を示す組織図である。図４（ｂ）に示すように、表かのこ編みは、２コースで１組みの組織としている。図４（ａ）では、各コースの糸に対応した１、２の符号を付けている。そして、第１コースは、低バットの編針でニット編みし、高バットの編針でタック編みする。第２コースは、第１コースと逆で、低バットの編針でタック編みし、高バットの編針でニット編みする。
【０００９】
この表かのこの編地も図４（ａ）に示すように、２本の糸が重なる部分ができるが、並かのこ編みと同様に、２本の糸の重なる部分が均等に分布し、かつ、２本しか重ならないので、凹凸は小さい。
【００１０】
図５は、従来の総かのこ編みの図で、（ａ）は編地の編目を表す図、（ｂ）は、編み方を示す組織図である。この総かのこ編みは、編地に隆起や透かし目効果が目立つことが知られている。
【００１１】
図５（ｂ）に示すように、総かのこ編みは、４コースで１組みの組織としている。図５（ａ）では、各コースの糸に対応した１〜４の符号を付けている。そして、第１、第２コースは、ともに、低バットの編針でニット編みし、高バットの編針でタック編みする。第３、第４コースは、第１、第２コースと逆で、低バットの編針でタック編みし、高バットの編針でニット編みする。
【００１２】
この総かのこの編地は、図５（ａ）に示すように、３本の糸が重なるところができるので、並かのこ編みや表かのこ編みに比べて凹凸感はある。しかし、３本の糸が重なる部分どうしが近くに均等に配置され、中間の薄くなる部分が狭いので、凹凸感は小さいものとなってしまう。
【発明の概要】
【発明が解決しようとする課題】
【００１３】
上述したように、かのこ編みの中で最も凹凸感のある総かのこ編みでも、凹凸感が不十分であり、もっと凹凸感のある編地が欲しいという声がある。このような凹凸感に優れた編地は、新規な編地として、そのファッション性が期待されるからである。本発明は、斯かる実情に鑑み、従来にない凹凸感に優れた新しい感覚の編地を提供しようとするものである。
【課題を解決するための手段】
【００１４】
上記の目的を達成するために本発明の編地は、高バットの編針と低バットの編針とを交互に配置した編機で、６コース以上を１組みとして編み、最初の２コースはタック編みし、次の１コース以上を平編みとし、この平編みに続く２コースはタック編みし、最後の１コース以上では、平編みした編組織を備えたことを特徴としている。
【００１５】
前記最初の２コースのタック編みでは、低バットの編針と高バットの編針のいずれか一方でニット編みしていずれか他方でタック編みし、前記最初の平編みに続く次の２コースのタック編みでは最初の２コースとは逆になるように、低バットの編針と高バットの編針のいずれか一方でタック編みしていずれか他方でニット編みした編組織を備えた構成としたり、前記平編みとなるコースが各２コースで、合計８コースを１組みとした構成としたり、前記タック編み部分の編糸の色と、平編み部分の編糸の色とを相違させた構成としたり、各コースの糸を、積極送り出し方式で編機に供給して編んだ構成とすることができる。
【発明の効果】
【００１６】
本発明の編地によれば、タック編みの部分で生地に凸部が形成され、中間にある平編み部分が低くなるので、凸部が際だち、凹凸感に優れた編地を得ることができる。
【００１７】
特に、８コースを１組みとして、８コースのうちの中間と最後にある２箇所の平編み部分をそれぞれ２コースずつにすると、凹凸の配置のバランスがよくなり、凹凸感が強調された優れた編地となる。
【００１８】
また、タック編み部分と平編み部分の編糸の色を異ならせることで、凹凸を強調したり、給糸方式を、積極送り出し方式にすることで、凹凸をさらに際だたせることができる。
【図面の簡単な説明】
【００１９】
【図１】本発明の編地の図で、編地の編目を表す図である。
【図２】図１の編地の編み方を示す組織図である。
【図３】従来の並かのこ編みの図で（ａ）は編地の編目を表す図、（ｂ）は、編み方を示す組織図である。
【図４】従来の表かのこ編みの図で（ａ）は編地の編目を表す図、（ｂ）は、編み方を示す組織図である。
【図５】従来の総かのこ編みの図で（ａ）は編地の編目を表す図、（ｂ）は、編み方を示す組織図である。
【発明を実施するための形態】
【００２０】
以下、本発明を添付図面を参照して説明する。
図１、図２は、本発明の編地の図で、図１は編地の編目を表す図、図２は、編み方を示す組織図である。
【００２１】
本発明の編地は、上記のかのこ編みと同じく、シリンダ（下釜）の針溝に、高バットの編針と低バットの編針の２種類の編針を一本ずつ交互に配置したシングルシリンダ丸編機で編む。素材となる糸は、ウレタン糸やゴム糸のように大きく伸縮するものではなく、殆ど伸縮しない素材を使用する。すなわち、綿糸や絹糸などの天然繊維糸、テトロン、ナイロンなどの合成繊維糸、スフ糸などの人造繊維糸のいずれでもよい。
【００２２】
従来例と同様に、図２において、垂直の長い線は低バットの編針を示し、垂直の短い線は高バットの編針を示している。各針の上にループがあるのはニット編みを意味し、ループのないのはタック編みを意味している。高低バットの編針は、図示した７本だけではなく、両側に多数の低バットの編針と高バットの編針が交互に環状に配置され、同じ編み方が繰り返される。
【００２３】
なお、高バットの編針と低バットの編針を持たない選針式の編機によっても、選針機構によって高バットの編針に相当する編針を、また、低バットの編針に相当する編針を選針し、本発明の編地を編むことができる。したがって、本願でいう高バットの編針及び低バットの編針には、これら選針式の編機において選択された編針も含むものとする。
【００２４】
本発明の編地は、８コースで１組みの組織とし、図１では、各コースの糸に対応した１〜８の符号を付けている。第１、第２コースは、タック編みとしている。このタック編みは、２コースがともに、低バットの編針でニット編みし、高バットの編針でタック編みするものである。第３、第４コースは、低バットの編針、高バットの編針ともにニット編みしている。すなわち、平編みである。第５、第６コースはタック編みとしている。ここのタック編みは、第１および第２コースとは、逆で、低バットの編針でタック編みし、高バットの編針でニット編みしている。第７、第８コースは、第３、第４コースと同じく平編みである。
【００２５】
本発明の編地は、図５に示す総かのこ編みを第１、第２コースと、第３、第４コースとに分け、その間に平編みを２コース加えた構成である。このように平編み部分を付加することで、平坦な低い部分ができ、２コース続けたタック編部分の膨らみをはっきりと見せることができ、凹凸感に富んだ編地となった。
【００２６】
図１、図２の実施例では、平編みのコースを２コースとしたが、１コースとしてもよく、３コース以上にしてもよい。しかしながら、２コースが凸部の強調に一番適している。
【００２７】
また、タック編みの部分と平編みの部分とで、編糸の色を異ならせると、凹凸感を強調することができる。たとえば、平坦で低い平編み部分の編糸に白く染めた糸を使用し、膨らみのあるタック編み部分の編糸に黒く染めた糸を使用すると、生地が波打った部分や、折れ曲がった部分で、膨らんでいる部分の黒が、平坦部の白を隠し、玉虫風に色合いが変化する生地になる。
【００２８】
次に、糸の送り出しについて説明する。素材となる糸を編機に送り込む方法として、給糸装置を使用しない消極送り出し方式と、給糸装置を使用する積極送り出し方式とがある。消極送り出し方式は、編針が編むときに糸に加わるテンションによって、糸を引き出す方式であり、他方、積極送り出し方式は、編み速度と同期した速さで糸を送り出す方式である。消極送り出しの場合は、編針の移動量が変化することにより、糸に加わるテンションが変化し、テンションが変化することで、引き出す糸の長さも変化し、編み込まれる糸の長さが、コースごとに相違する原因となる。
【００２９】
これに対し、積極送り出し方式では、送り出す糸の長さは、編み速度に合わせているので、各コースごとの編み込み長さを、１％程度の誤差内に収めることができる。
【００３０】
本発明の編地では、消極送り出しでもよいが、積極送り出し方式の方が望ましい。この積極送り出し方式を採用すると、凸部の高さを低くすることがなく、したがって、編地の凹凸をさらに、際立たせることができる。
【図１】
2012167395.tif 000003
【図２】
2012167395.tif 000004
【図３】
2012167395.tif 000005
【図４】
2012167395.tif 000006
【図５】
2012167395.tif 000007